【手続補正書】
【提出日】平成25年9月4日(2013.9.4)
【手続補正１】
【補正対象書類名】明細書
【補正対象項目名】０１１６
【補正方法】変更
【補正の内容】
【０１１６】
本明細書中に引用される刊行物の完全な開示は、それぞれが個々に組み込まれたかのように、その全体が参照により援用される。本発明の範囲及び趣旨から逸脱しない本発明の様々な変更や改変は、当業者には明らかとなるであろう。本発明は、本明細書で述べる例示的な実施形態及び実施例によって不当に限定されるものではないこと、また、こうした実施例及び実施形態は、本明細書において以下に記述する「特許請求の範囲」によってのみ限定されると意図する本発明の範囲に関する例示のためにのみ提示されることを理解すべきである。
本願発明に関連する発明の実施形態について以下に列挙する。
[実施形態１]
式Ｉ：
【化１】
2013505333.tif 000001
（式中、
各Ｒ１は、独立して、アルキル、ハロアルキル、アラルキル、アルケニル、アリール、又はアルキル、アルコキシ若しくはハロで置換されたアリールであり；
各Ｙは、独立して、アルキレン、アラルキレン、又はこれらの組み合わせであり；
各Ｇは、独立して、結合又は式Ｒ３ＨＮ−Ｇ−ＮＨＲ３から２つの−ＮＨＲ３基を引いた、ジアミンと等価の二価の残基であり；
基Ｒ３は、独立して、水素若しくはアルキルであるか、又はＲ３はＧ及びそれら両方が結合している窒素と共に複素環基を形成し；
各ｎは、独立して、０〜１５００の整数であり；
各ｐは、独立して、１〜１０の整数であり、ｐの平均が１．２以上であり；及び
各ｑは、独立して、１又はそれ以上の整数であり、すべてのｑが同じ整数であることはない）
の少なくとも２個の繰り返し単位を含むコポリマー。
[実施形態２]
各Ｒ１がメチルである、実施形態１に記載のコポリマー。
[実施形態３]
各Ｙが、１〜１０個の炭素原子を有するアルキレン、１〜１０個の炭素原子を有するアルキレンに結合したフェニレン、１〜１０個の炭素原子を有する第１のアルキレン及び１〜１０個の炭素原子を有する第２のアルキレンに結合したフェニレン、である、実施形態１に記載のコポリマー。
[実施形態４]
Ｇが、アルキレン、ヘテロアルキレン、アリーレン、アラルキレン、又はこれらの組合せである、実施形態１に記載のコポリマー。
[実施形態５]
Ｇが結合であり、各Ｒ３が水素である、実施形態１に記載のコポリマー。
[実施形態６]
ｎが少なくとも４０である、実施形態１に記載のコポリマー。
[実施形態７]
各Ｒ３が水素である、実施形態１に記載のコポリマー。
[実施形態８]
前記コポリマーがトルエンに不溶性である、実施形態１に記載のコポリマー。
[実施形態９]
前記コポリマーがテトラヒドロフランに不溶性である、実施形態８に記載のコポリマー。
[実施形態１０]
前記コポリマーが約２２０℃以下において流動しない、実施形態１に記載のコポリマー。
[実施形態１１]
前記コポリマーが約２６０℃以下において流動しない、実施形態１０に記載のコポリマー。
[実施形態１２]
前記コポリマーが約３００℃以下において流動しない、実施形態１１に記載のコポリマー。
[実施形態１３]
式Ｉ’：
【化２】
2013505333.tif 000002
（式中、
各Ｒ１は、独立して、アルキル、ハロアルキル、アラルキル、アルケニル、アリール、又はアルキル、アルコキシ、若しくはハロで置換されたアリールであり；
各Ｙは、独立して、アルキレン、アラルキレン、又はこれらの組み合わせであり；
各Ｇは、独立して、結合又は式Ｒ３ＨＮ−Ｇ−ＮＨＲ３から２つの−ＮＨＲ３基を引いたジアミンと等価の二価の残基であり；
各基Ｒ３は、独立して、水素若しくはアルキルであるか、又はＲ３はＧ及びそれら両方が結合している窒素と共に複素環基を形成し；
各ｎは、独立して、０〜１５００の整数であり；
各ｐは、独立して１〜１０の整数であり；
各ｑは、独立して、１又はそれ以上の整数であって、すべてのｑが同じ整数であることはない）
の少なくとも２個の繰り返し単位を含むコポリマー材料の製造方法であって、
前記方法が、
（ａ）式ＩＩ：
【化３】
2013505333.tif 000003
（式中、
各Ｒ２は、独立して、アルキル、ハロアルキル、アリール、又はアルキル、アルコキシ、ハロ、アルコキシカルボニルで置換されたアリール、又はＮを通して結合した
【化４】
2013505333.tif 000004
であり、式中各Ｒ４は、独立して水素、アルキル、又はアリールであるか、又はＲ４はともに環を形成している）のシュウ酸エステルを溶媒に加える工程；
（ｂ）モル過剰の前記シュウ酸エステルを式ＩＩＩ：
【化５】
2013505333.tif 000005
のポリジオルガノシロキサンジアミンと、実質的にポリジオルガノシロキサンジアミンが残らなくなるまで反応させ、
式ＩＶ：
【化６】
2013505333.tif 000006
の反応生成物を形成する工程；
並びに
（ｃ）式Ｖ：
【化７】
2013505333.tif 000007
の１つ又はそれ以上のジアミンを式ＩＶの反応生成物に加え、式Ｉ’の繰り返し単位を生成する工程を含む、方法。
[実施形態１４]
式ＩＩの前記シュウ酸エステルが、フェノール、メチルエチルケトンオキシム、アセトンオキシム、及びトリフルオロエタノールのシュウ酸エステルからなる群から選択される、実施形態１３に記載の方法。
[実施形態１５]
前記溶媒がテトラヒドロフラン、メチル第三級ブチルエーテル、トルエン、酢酸エチル、ジクロロメタン、及びクロロホルムからなる群から選択される、実施形態１３に記載の方法。
[実施形態１６]
式ＩＩＩの前記ポリジオルガノシロキサンジアミンが、約１０００ｇ／ｍｏｌ約〜５０，０００ｇ／ｍｏｌの数平均分子量を有する、実施形態１３に記載の方法。
[実施形態１７]
式Ｖの前記ジアミンが、１，２−ジアミノエタン、１，３−ジアミノプロパン、１，４−ジアミノブタン、１，５−ジアミノペンタン、２−メチル−１，５−ペンタンジアミン、１，６−ジアミノヘキサン、及びｍ−キシリレンジアミンからなる群から選択される、実施形態１３に記載の方法。
[実施形態１８]
物品が、感圧接着剤、フィルム、混合物、又は低接着バックサイズである、実施形態１に記載のコポリマーを含む物品。
[実施形態１９]
次式：
【化８】
2013505333.tif 000008
を有する化合物及びこれらの幾何異性体。
【手続補正２】
【補正対象書類名】特許請求の範囲
【補正対象項目名】全文
【補正方法】変更
【補正の内容】
【特許請求の範囲】
【請求項１】
式Ｉ：
【化９】
2013505333.tif 000009
（式中、
各Ｒ１は、独立して、アルキル、ハロアルキル、アラルキル、アルケニル、アリール、又はアルキル、アルコキシ若しくはハロで置換されたアリールであり；
各Ｙは、独立して、アルキレン、アラルキレン、又はこれらの組み合わせであり；
各Ｇは、独立して、結合又は式Ｒ３ＨＮ−Ｇ−ＮＨＲ３から２つの−ＮＨＲ３基を引いた、ジアミンと等価の二価の残基であり；
基Ｒ３は、独立して、水素若しくはアルキルであるか、又はＲ３はＧ及びそれら両方が結合している窒素と共に複素環基を形成し；
各ｎは、独立して、０〜１５００の整数であり；
各ｐは、独立して、１〜１０の整数であり、ｐの平均が１．２以上であり；及び
各ｑは、独立して、１又はそれ以上の整数であり、すべてのｑが同じ整数であることはない）
の少なくとも２個の繰り返し単位を含むコポリマー。
【請求項２】
式Ｉ’：
【化１０】
2013505333.tif 000010
（式中、
各Ｒ１は、独立して、アルキル、ハロアルキル、アラルキル、アルケニル、アリール、又はアルキル、アルコキシ、若しくはハロで置換されたアリールであり；
各Ｙは、独立して、アルキレン、アラルキレン、又はこれらの組み合わせであり；
各Ｇは、独立して、結合又は式Ｒ３ＨＮ−Ｇ−ＮＨＲ３から２つの−ＮＨＲ３基を引いたジアミンと等価の二価の残基であり；
各基Ｒ３は、独立して、水素若しくはアルキルであるか、又はＲ３はＧ及びそれら両方が結合している窒素と共に複素環基を形成し；
各ｎは、独立して、０〜１５００の整数であり；
各ｐは、独立して１〜１０の整数であり；
各ｑは、独立して、１又はそれ以上の整数であって、すべてのｑが同じ整数であることはない）
の少なくとも２個の繰り返し単位を含むコポリマー材料の製造方法であって、
前記方法が、
（ａ）式ＩＩ：
【化１１】
2013505333.tif 000011
（式中、
各Ｒ２は、独立して、アルキル、ハロアルキル、アリール、又はアルキル、アルコキシ、ハロ、アルコキシカルボニルで置換されたアリール、又はＮを通して結合した
【化１２】
2013505333.tif 000012
であり、式中各Ｒ４は、独立して水素、アルキル、又はアリールであるか、又はＲ４はともに環を形成している）のシュウ酸エステルを溶媒に加える工程；
（ｂ）モル過剰の前記シュウ酸エステルを式ＩＩＩ：
【化１３】
2013505333.tif 000013
のポリジオルガノシロキサンジアミンと、実質的にポリジオルガノシロキサンジアミンが残らなくなるまで反応させ、
式ＩＶ：
【化１４】
2013505333.tif 000014
の反応生成物を形成する工程；
並びに
（ｃ）式Ｖ：
【化１５】
2013505333.tif 000015
の１つ又はそれ以上のジアミンを式ＩＶの反応生成物に加え、式Ｉ’の繰り返し単位を生成する工程を含む、方法。
【請求項３】
物品が、感圧接着剤、フィルム、混合物、又は低接着バックサイズである、請求項１に記載のコポリマーを含む物品。